(57)【特許請求の範囲】
【請求項１】
円筒状に形成され、軸方向に沿って一方の端部から他方の端部まで割れて、この割れによって生じた割目から電線を挿入可能に形成されたカバー本体と、
このカバー本体の前記割目に沿った各端部に設けられ、前記割目が閉じたときに前記カバー本体の外周面の内側で互いに嵌合する凹凸部と、
を備え、
前記凹凸部は、
直線状あるいは前記カバー本体の円周面に沿って延設された凸部を凹部に嵌合する形状であって、一定の厚みで形成され、
また、この凹凸部の凹凸に沿って前記カバー本体の内周面側の端部から前記外周面側の端部に到るまでの距離が、前記電線の絶縁を保つために必要な絶縁距離となるよう形成されており、
前記カバー本体の外周面上には、
前記カバー本体の軸方向に沿って長尺な突起部が設けられ、
この突起部は、
架線された電線に前記カバー本体を取り付けたとき、前記カバー本体の軸中心を挟んで対称な位置に少なくとも１組設けられていることを特徴とする電線保護カバー。
【請求項２】
請求項１に記載の電線保護カバーにおいて、
前記突起部は、
前記凹凸部との重量のバランスで、前記凹凸部が重力方向下方位置から重力方向上方側に向かって回転しない位置に取り付けられていることを特徴とする電線保護カバー。
【請求項３】
請求項１，２のいずれかに記載の電線保護カバーにおいて、
前記突起部は、
前記カバー本体の外周面からの高さが０．５ｍｍ〜１．５ｍｍの大きさで形成されていることを特徴とする電線保護カバー。
【請求項４】
請求項３に記載の電線保護カバーにおいて、
前記突起部は、
前記カバー本体の外周面からの高さが略１ｍｍの大きさで形成されていることを特徴とする電線保護カバー。
【請求項５】
請求項２〜４のいずれかに記載の電線保護カバーにおいて、
前記突起部は、
断面半円状に形成されていることを特徴とする電線保護カバー。
【発明の詳細な説明】
【技術分野】
【０００１】
本発明は、電線保護カバーに関する。
【背景技術】
【０００２】
従来より、架空電線に樹木が接触することを防止したり、建物の建設工事現場の近くを通る架空電線に建設作業員や建設機器などが接触しても感電しないようにするために、架空電線に電線保護カバーが取り付けられている。
【０００３】
この電線保護カバー１００は、図５（ａ）に示すように、円筒形状に形成されたカバー本体１０１と、このカバー本体１０１の外周面に対し垂直に取り付けられた唾部１０２とからなる。
【０００４】
この電線保護カバー１００の唾部１０２は、２枚の唾片１０２ａ，１０２ｂが重ねられた形状に形成され、図５（ｂ）に示すように、これら唾片を開いたときにカバー本体１０１が割れて、架空電線をカバー本体１０１内に挿入することができるようにされている。
【発明の開示】
【発明が解決しようとする課題】
【０００５】
しかし、従来の電線保護カバー１００は、上述した唾部１０２が設けられているために、風に煽られて電線に通常より大きな荷重がかかったり、電線保護カバーが風に煽られてねじれて外れてしまう恐れがあった。
【０００６】
そこで本発明では、上述した問題点を解決し、架空電線を風の影響を受けずに保護することができる電線保護カバーを提供することを目的とする。
【課題を解決するための手段】
【０００７】
上述した問題を解決するためになされた発明である請求項１に記載の電線保護カバーは、  円筒状に形成され、軸方向に沿って一方の端部から他方の端部まで割れて、この割れによって生じた割目から電線を挿入可能に形成されたカバー本体と、このカバー本体の前記割目に沿った各端部に設けられ、前記割目が閉じたときに前記カバー本体の外周面の内側で互いに嵌合する凹凸部と、を備え、前記凹凸部は、直線状あるいは前記カバー本体の円周面に沿って延設された凸部を凹部に嵌合する形状であって、一定の厚みで形成されていることを特徴とする。
【０００８】
このように、カバー本体の外周面が、割目を閉じたときに円筒形状になるように形成されていると、上述した従来の電線保護カバーの形状はもちろん、他の形状に比べても、風の影響を受けにくくなるため、本発明の電線保護カバーは風に煽られにくくなる。
【０００９】
そのため、本願発明の電線保護カバーを用いると、風に煽られて電線に通常より大きな荷重がかかったり、電線保護カバーが風に煽られてねじれて外れてしまうことを確実に防止することができる。
【００１０】
また、この電線保護カバーは、凹凸部を互いに嵌合させることにより、架空電線から外れることなく、架空電線を確実に保護することができる。
尚、凹凸部を構成する凹部の形状が、凸部を挿入する部分（以下「入口」という）の幅が他の部分よりも狭い形状に形成され、凸部を凹部に嵌合すると凸部が凹部の入口に引っ掛かって、凸部が凹部から抜けないように形成することも考えられる。
【００１１】
しかし、このようにすると、高所作業中に、凸部を凹部に全て嵌合させる力のいる作業を行わねばならないため、作業員の負担になった。
この点、本願発明の電線保護カバーの凹凸部は、直線状あるいは前記カバー本体の円周面に沿って延設された凸部を凹部に嵌合する形状であって、一定の厚みで形成されているので、このような力のいる作業を強いられない。
【００１２】
また、凹凸部をこのように形成しても、カバー本体が、その形状を維持しようとする力により、凹凸部の嵌合がとかれることがないので、本願発明の電線保護カバーが電線から外れることはない。
【００１３】
ところで、従来の電線保護カバー１００の唾部１０２は、絶縁を保つために設けられていた。
そしてこの唾部１０２は、具体的には、図５（ａ）に示すように、唾部１０２を構成する各唾片１０２ａ，１０２ｂが重なる部分であって、カバー本体１０１の内周面側の端部と外周面側の端部との間の距離（点線βで示した部分）が、この絶縁を保つために必要な絶縁距離となる大きさに形成されていた。
【００１４】
そこで、この絶縁を保つため、請求項１に記載の発明では、さらに、凹凸部について、この凹凸部が嵌合して重なる部分であって、前記カバー本体の内周面側の端部から前記外周面側の端部までの距離が、前記電線の絶縁を保つために必要な絶縁距離となるよう形成されている。
【００１５】
このようにすると、電線と、カバーの外周面との絶縁が保たれるので、本発明の電線保護カバーで保護している電線を確実に絶縁することができる。
また、請求項１に記載の電線保護カバーでは、前記カバー本体の外周面上には、前記カバー本体の軸方向に沿って長尺な突起部が設けられ、この突起部は、架線された電線に前記カバー本体を取り付けたとき、前記カバー本体の軸中心を挟んで対称な位置に少なくとも１組設けられている。
【００１６】
この突起部が設けられていると、風に煽られにくくなるので、この突起部が設けられた電線保護カバーを用いれば、風に煽られて電線に通常より大きな荷重がかかったり、電線保護カバーが風に煽られてねじれて外れてしまうことをより確実に防止することができる。
【００１７】
尚、この突起部が設けられた場所としては、例えば、請求項２に記載したように、凹凸部との重量のバランスで、凹凸部が重力方向下方位置から重力方向上方側に向かって回転しない位置に取り付けられていることが好ましい。
【００１８】
このようにすると、凹凸部が下方に位置する状態で電線保護カバーのバランスが保たれるので、風に煽られても常に一定の姿勢が保たれる。そのため、この電線保護カバーを用いれば、風に煽られて電線に通常より大きな荷重がかかったり、電線保護カバーが風に煽られてねじれて外れてしまうことをより確実に防止することができる。
【００１９】
また、電線保護カバーが風に煽られないようにするための突起部の大きさとしては、例えば、請求項３に記載したように、カバー本体の外周面からの高さが０．５ｍｍ〜１．５ｍｍの大きさであることが好ましい。そして、この突起部の大きさとしては、請求項４に記載したように、とりわけ、カバー本体の外周面からの高さが略１ｍｍの大きさで形成されていることが好ましい。
【００２０】
そして、突起部の形状としては、請求項５に記載したように、断面半円状に形成されていることが好ましい。
【発明を実施するための最良の形態】
【００２１】
以下、本発明が適用された実施形態について図面を用いて説明する。
ここで、図１は、本実施形態の電線保護カバー１の説明図で、（ａ）は側面図、（ｂ）は（ａ）のＡ−Ａ’断面図である。図２は、本実施形態の電線保護カバー１の図１（ａ）のＡ−Ａ’断面図で、重力方向の下方部分が割れた様子を示している。
１．全体構成
本実施形態の電線保護カバー１は、図１に示すように、円筒状に形成されたカバー本体１０を備えている。
【００２２】
このカバー本体１０は、図２に示すように、重力方向の下方部分（紙面の下方部分）が、カバー本体１０の軸方向に沿って一方の端部から他方の端部まで割れて、この割れによって生じた割目１１から電線を挿入することができるように構成されている。
【００２３】
そして、カバー本体１０は、電線を挿入することができる大きさになるまで割目１１を開くことができるような柔軟な材料（例えば、ポリエチレン、ポリプロピレン等）で形成されている。
１．１．凹凸部
また、カバー本体１０は、図１（ｂ）に示すように、割目に沿ったカバー本体１０の各端部には、割目１１が閉じたときにカバー本体１０の外周面の内側で互いに嵌合する凹凸部１２が設けられている。
【００２４】
本実施形態では、凹凸部１２として、図２に示すように、一方の端部に凹部１２ａ、他方の端部に凸部１２ｂが設けられている。
また、この凹凸部１２は、図１（ｃ）の点線αで示すように、この凹凸部１２の凹凸に沿ってカバー本体１０の内周面側の端部から外周面側の端部に到るまでの距離が、カバー本体１０内に通した電線との絶縁を保つために必要な絶縁距離となるよう形成されている。
【００２５】
このように構成された電線保護カバー１では、凹凸部１２を互いに嵌合させて割目１１を閉じたとき、カバー本体１０の外周面は、円筒形状となる。
１．２．突起部１３
本実施形態のカバー本体１０は、図１（ｂ）に示すように、凹凸部１２が設けられた部分が他の部分よりも肉厚に構成されているので、電線保護カバー１を架空電線にとりつけたとき、カバー本体１０が軸周りに回転して、凹凸部１２の重量によって凹凸部１２が重力方向下方側に位置する形態で取り付けられる。
【００２６】
突起部１３は、電線保護カバー１がこのような形態で架空電線に取り付けられたとき、カバー本体１０の軸中心を挟んで左右対称となる位置に１組設けられ、そして、図１（ａ）に示すように、カバー本体１０の外周面上に、カバー本体１０の軸方向に沿って長尺な形状に形成されている。
【００２７】
電線保護カバー１は、このように形成された突起部１３がこの位置に設けられているため、架空電線に取り付けたとき、凹凸部１２との重量のバランスで、凹凸部１２が重力方向下方位置から重力方向上方側に向かって回転せず、常に凹凸部１２を下側にした姿勢を保ちながら、架空電線に取り付けられる。
【００２８】
この突起部１３の大きさは、カバー本体１０の外周面からの高さが略１ｍｍの大きさの断面半円形状に形成されている。
２．耐風試験
次に、耐風試験について説明する。
【００２９】
ここで、図３は、電線保護カバーの他の例を示す図で、図１（ａ）のＡ−Ａ’断面図に相当する他の例の電線保護カバーの断面図である。また、図４は、耐風実験の試験装置の模式図である。
【００３０】
この耐風試験は、架空電線に取り付けられた電線保護カバー１が受ける力を測定したもので、受ける力が大きいほど、電線保護カバー１が風に煽られ易いことを示している。
２．１．実験に用いた電線保護カバー
実験に用いた電線保護カバー１は、実施形態として上述した２つの突起部１３を有する電線保護カバー１ａと、図３に示すように、４つの突起部１３が設けられた電線保護カバー１ｂと、突起部１３が設けられていない電線保護カバー１ｃと、従来の技術の欄で説明した唾部１０２が設けられた電線保護カバー１００である。
【００３１】
尚、４つの突起部１３が設けられた電線保護カバー１ｂは、架空電線に取り付けられ、凹凸部１２が重力方向下方側に位置したとき、下端を０度として、中心軸周りに４５度、１３５度、２２５度、３１５度の位置に設けられているものである。
２．２．実験方法
この耐風実験に用いた実験装置について説明する。
【００３２】
この耐風実験の実験装置９０は、図４に示すように、風を並行に送風する送風機９１と、電線保護カバー１に係る力を測定するロードセル９２とで構成されている。
そして、耐風実験では、送風機９１から、送風機９１が風を送風する方向に向かって、１．６５ｍ離したところに電線保護カバー１が配置されるように、この電線保護カバー１を、送風方向に向かって移動する移動具９５に固定して設置した。
【００３３】
また、この電線保護カバー１から送風方向とは反対側に所定距離、先端に移動具９５が結ばれた測定用のロープ９３を伸ばし、そして、このロープ９３を、滑車９４を介して下方に送り、他方の先端をロードセル９２に結びつけた。
【００３４】
電線保護カバー１は、送風機９１から風圧を受けると、その送風方向に向かって移動しようとする。
ロードセル９２は、測定用のロープ９３を介して、この電線保護カバー１の移動を阻止することにより、その阻止に要した力に基づいて、電線保護カバー１に係る風圧を測定する。
２．３．実験結果
耐風実験による実験結果は、下記の表の通りである。
【００３５】
【表１】
0005074141.tif 000002
この実験結果から、最も風圧を受ける電線保護カバーが、従来の電線保護カバー１００であり、以降順に、突起部１３を有していない電線保護カバー１ｃ、突起部１３を二つ有する電線保護カバー１ｂ、突起部１３を４つ有する電線保護カバー１ｂの順に、受ける風圧が小さくなる。
【００３６】
すなわち、この順に、風に煽られにくいということが言える。
３．実施形態に係る電線保護カバーの特徴
上述したように、カバー本体１０の外周面が、割目１１を閉じたときに円筒形状になるように形成されていると、従来の電線保護カバー１００の形状はもちろん、他の形状に比べても、風の影響を受けにくくなるため、本実施形態の電線保護カバー１は風に煽られにくい。
【００３７】
そのため、本実施形態の電線保護カバー１を用いると、電線を傷つけたり、架空電線を保護せねばならない位置からずれてしまうことを確実に防止することができる。
また、この電線保護カバー１は、凹凸部１２を互いに嵌合させることにより、架空電線から外れることがないので、架空電線を確実に保護することができる。
【００３８】
さらに、本実施形態の電線保護カバー１は、凹凸部１２の凹凸に沿ってカバー本体の内周面側の端部から外周面側の端部に到るまでの距離（図１（ｃ）の点線αで示した部分の距離）が、カバー本体１０内に通した電線との絶縁を保つために必要な絶縁距離となるよう凹凸部１２が形成されている。
【００３９】
そのため、この電線保護カバー１に保護された電線と、カバー本体の外周面との絶縁が保たれるので、本実施形態の電線保護カバー１で保護している電線を確実に絶縁することができる。
【００４０】
また、本実施形態の電線保護カバー１は、突起部１３が設けられているので、風に煽られにくく、風に煽られて電線に通常より大きな荷重がかかったり、電線保護カバーが風に煽られてねじれて外れてしまうことを確実に防止することができる。
【００４１】
また、本実施形態の電線保護カバー１は、凹凸部１２との重量のバランスで、凹凸部１２が重力方向下方位置から重力方向上方側に向かって回転しない位置に取り付けられているので、凹凸部１２が下方に位置する状態で電線保護カバー１のバランスが保たれる。
【００４２】
そのため、風に煽られても常に一定の姿勢を保つので、この電線保護カバー１を用いれば、風に煽られて電線に通常より大きな荷重がかかったり、電線保護カバーが風に煽られてねじれて外れてしまうことをより確実に防止することができる。
【００４３】
ところで、凹凸部１２を構成する凹部の形状が、凸部を挿入する部分（以下「入口」という）の幅が他の部分よりも狭い形状に形成され、凸部を凹部に嵌合すると凸部が凹部の入口に引っ掛かって、凸部が凹部から抜けないように形成することも考えられる。
【００４４】
しかし、このようにすると、高所作業中に、凸部を凹部に全て嵌合させる力のいる作業を行わねばならないため、作業員の負担になった。
この点、本実施形態の電線保護カバー１の凹凸部１２は、直線状（カバー本体１０の円周面に沿った形状でもよい）に延設された凸部１２ｂを凹部１２ａに嵌合する形状に形成されているので、このような力のいる作業を強いられない。
【００４５】
また、凹凸部１２をこのように形成しても、カバー本体１０が、その形状を維持しようとする力により、凹凸部１２の嵌合がとかれることがないので、本実施形態の電線保護カバー１が電線から外れることはない。
【００４６】
（その他の実施形態）
本実施形態では、突起部１３としては、カバー本体１０の外周面からの高さが略１ｍｍの大きさで形成されているものとしたが、この高さが０．５ｍｍ〜１．５ｍｍの大きさであってもよい。
【００４７】
また、突起部１３の形状としては、断面半円状でなくても、断面が多角形形状のものを用いてもよい。
また、本発明は、特許請求の範囲に記載された発明の趣旨に合致するものであればよく、上述の実施形態に限定されるものではない。
【図面の簡単な説明】
【００４８】
【図１】本実施形態の電線保護カバー１の説明図で、（ａ）は側面図、（ｂ）は（ａ）のＡ−Ａ’断面図である。
【図２】本実施形態の電線保護カバー１の図１（ａ）のＡ−Ａ’断面図で、重力方向の下方部分が割れた様子を示している。
【図３】電線保護カバーの他の例を示す図で、図１（ａ）のＡ−Ａ’断面図に相当する他の例の電線保護カバーの断面図である。
【図４】耐風実験の試験装置の模式図である。
【図５】従来の電線保護カバーの断面図である。
【符号の説明】
【００４９】
１（１ａ，１ｂ，１ｃ）…電線保護カバー、１０…カバー本体、１１…割目、１２…凹凸部、１２ａ…凹部、１２ｂ…凸部、１３…突起部、
９０…実験装置、９１…送風機、９２…ロードセル、９３…ロープ、９４…滑車、
９５…移動具、
【図１】
0005074141.tif 000003
【図２】
0005074141.tif 000004
【図３】
0005074141.tif 000005
【図４】
0005074141.tif 000006
【図５】
0005074141.tif 000007